(57)【要約】【課題】  ファスナーの取り付けが簡単で、しかも縫製作業時間を短縮することができる掛布団カバーを提供する。【解決手段】  布団カバー１は、環状に形成した１枚の布地の両端を互いに対向させて、布団カバー１の片面であって長手方向の略真ん中を直行するように布団出入口２が設けられ、この布団出入口２にはファスナー３が幅方向全体に設けられ、布団カバー１の長手方向の両側がファスナー３両端とともに縫製されている。【選択図】図１
0003175804.tif 000002
【実用新案登録請求の範囲】
【請求項１】
１枚の布地の両端を互いに対向させてファスナーで連結することにより環状に形成し、
前記ファスナーを長手方向の略真ん中の位置に設けるとともに開口部とし、
長手方向の両側を前記ファスナーの両端とともに縫製されている掛布団カバー。
【考案の詳細な説明】
【技術分野】
【０００１】  本考案は、布団を覆うための掛布団カバーに関する。
【背景技術】
【０００２】  従来から一般に使用されている掛布団カバーは、長手方向に沿った片側の辺に布団出入口を設け、布団出入口の四隅などの４個所又は６個所に紐が縫いつけられていた。このような掛布団カバーを掛け布団（図示せず）に収容するときは、布団出入口から掛布団カバーの内部に掛け布団を入れ、複数の紐を掛け布団に設けられたリングに結び付けた後に、布団出入口を閉じ、掛け布団に掛布団カバーを包囲した状態で使用されていた。
【考案の概要】
【考案が解決しようとする課題】
【０００３】  従来一般に使用されている掛布団カバーは、通常の場合、表面側と裏面側の２枚の布地を裁断して用意し、その後、３辺をそれぞれ縫製するとともに、横方向の１辺にファスナーを縫製していた。ところが、このような縫製方法によれば、表面側と裏面側の２枚の布地をそれぞれ裁断する工程と、表面側と裏面側の布地にそれぞれファスナーを縫製する工程と、２枚の布地を重ねて３辺をそれぞれ縫製する工程が必要である。この結果、多くの作業時間を要することから、必然的に製造コストが高くなり、依然として問題が解消されていない。【０００４】  本考案が解決しようとする課題は、ファスナーの取り付けが簡単で、しかも縫製作業時間を短縮することができる掛布団カバーを提供することにある。
【課題を解決するための手段】
【０００５】  そこで、本考案による掛布団カバーは、１枚の布地の両端を互いに対向させてファスナーで連結することにより環状に形成し、前記ファスナーを長手方向の略真ん中の位置に設けるとともに開口部とし、長手方向の両側を前記ファスナーの両端とともに縫製されていることを要旨としている。
【考案の効果】
【０００６】  本考案によれば、１枚の布地を環状に形成し、その両端を互いに対向させるとともに、対向した両端にファスナーを幅方向全体に設けて布団出入口とし、この布団出入口が長手方向の略真ん中に位置するようにして、布団カバーの長手方向の両側がファスナー両端とともに縫製されているので、布地が１枚で良いことから、裁断時間を短縮することができる。また、縫製工程が、布地の両端へのファスナーの取り付けと、長手方向の両側の縫製に簡素化されるので、縫製作業時間を大幅に短縮することができる。
【図面の簡単な説明】
【０００７】
【図１】本考案に関わる布団カバーの実施例を示す平面図である。
【図２】ファスナーの取り付け状態を示す部分断面図である。
【図３】布地を環状に形成した状態を示す斜視図である。
【図４】本考案に関わる布団カバーの使用状態における状態を示す平面図である。
【図５】布団カバーに布団を入れる状態を示す斜視図である。
【考案を実施するための形態】
【０００８】  以下、図面に基づいて本考案の実施例を詳細に説明する。図１は、本考案に関わる布団カバーの平面図である。布団カバー１は、環状に形成した１枚の布地の両端を互いに対向させて、布団カバー１の片面であって長手方向の略真ん中を直行するように布団出入口２が設けられ、この布団出入口２にはファスナー３が幅方向全体に設けられ、布団カバー１の長手方向の両側がファスナー３両端とともに縫製されている。
【０００９】  布団カバー１に用いる布地は、一般に使用されている綿或いは化学繊維であり、長尺に織られた反物を素材としている。この布地は、後述する掛け布団の幅よりもやや大きく幅となっている。そして、長尺の布地を掛け布団の長手方向の長さの２倍よりもやや長い寸法に裁断して布団カバー１の素材とする。
【００１０】  布団カバー１の素材である布地の両端には、ファスナー３のテープ部３ａがミシンによってそれぞれ縫製されて取り付けられる。この縫製は、例えば、図２に示すように、布地の両端をそれぞれ折り返した折り返し部４を形成し、この折り返し部４とファスナー３のテープ部３ａとを縫製する。このとき、折り返し部４の布地の端部がテープ部３ａに接合するようにしている。また、ファスナー３の長さは、布地の幅にほぼ等しくしているが、図１に示すように、布地の幅よりも長いファスナー３の場合は、ファスナーの下止側を布地の一方に合わせ、他方側を突出させておき、後で上止側を布地の幅に合わせて余剰部分５切断しても良い。このように、布地の両端にファスナー３のテープ部３ａをそれぞれ縫製するとき、ファスナー３のスライダー３ｂによってエレメント３ｃがかみ合わされていることが望ましい。
【００１１】  このように、布地の両端にファスナー３を縫製することにより、図３に示すように、布地が環状に形成される。そして、図１に示すように、ファスナー３が長手方向の略真ん中に位置するように両側を揃えてたたむ。この状態では、布団カバー１の片面にファスナー３が直行するようになる。
【００１２】  この状態から、布地の長手方向の両端をミシンにより縫製する。このとき、ファスナー３も同時に縫製される。なお、強度を高めるために、ファスナー３の端部においては、ミシンを往復させることにより３回縫いを行うことが望ましい。なお、布団のリング（図示しない）に通して結ぶことによって位置を固定するために、布団カバー１の四隅に紐６が設けられるが、布団カバー１の長手方向の両側を縫製するときに、紐６の基端を同時に縫製することが望ましい。また、ファスナー３の余剰部分５は、布地の長手方向の両端を縫製した後に切断される。
【００１３】  以上のように縫製が完了した後に、布団カバー１を裏返すことにより、図４に示すような長方形の布団カバー１が完成する。そして、布団カバー１の長手方向の略真ん中にはファスナー３が横方向に直行して設けられている。このファスナー３のスライダー３ｂをスライドさせて開放することにより、掛け布団を出し入れするための布団出入口２が形成される。
【００１４】  図５は、布団カバー１に掛け布団７を入れる状態を示している。すなわち、ファスナー３のスライダー３ｂをスライドさせて開放した布団出入口２から掛け布団７の長手方向の一方を布団カバー１の内部に挿入する。そして、布団のリングに紐６を通して結ぶことにより掛け布団７の一方側が入れられる。次に、掛け布団７の他方側を布団カバー１の内部に挿入し、同様に布団のリングに紐６を通して結ぶことにより掛け布団７の他方側が入れられる。その後、ファスナー３のスライダー３ｂをスライドさせて閉じることにより、掛け布団７に布団カバー１がかけられる。このとき、布団出入口２が布団カバー１の長手方向の略真ん中に設けられているので、布団のリングに紐６を結ぶ際にも容易にできる。このように、布団の出し入れには、従来のような長手方向の開口部から出し入れする場合よりも簡単であり、また、布団出入口２が布団カバー１の表側または裏側のいずれであっても使用することができる。
【００１５】  以上、本考案を実施例に基づき具体的に説明したが、本考案は上記実施例に限定されるものではなく、その要旨を逸脱しない範囲で種々変形可能であることは言うまでもない。
【符号の説明】
【００１６】  １    布団カバー
２    布団出入口
３    ファスナー
６    紐
８    掛け布団
【図１】
0003175804.tif 000003
【図２】
0003175804.tif 000004
【図３】
0003175804.tif 000005
【図４】
0003175804.tif 000006
【図５】
0003175804.tif 000007